【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
定電圧電源により被電圧印加部材に電圧を印加し、前記被電圧印加部材に流れる電流を電流検知手段により検知し、前記被電圧印加部材に印加された電圧をある電圧幅毎に変化させて、前記電流検知手段により検知された電流値が所定の電流値になるように前記定電圧電源の出力を制御する制御方法において、
前記電流検知手段により検知された電流値に応じて、前記電圧幅は可変であることを特徴とする制御方法。
【請求項２】
前記所定の電流値と前記電流検知手段により検知された電流値との差に応じて、前記電圧幅は可変であることを特徴とする請求項１に記載の制御方法。
【請求項３】
前記電流検知手段により検知された電流値が前記所定の電流値よりも小さい場合と、大きい場合とでは、前記電圧幅は異なることを特徴とする請求項１又は２に記載の制御方法。
【請求項４】
前記所定の電流値は所定の幅をもつことを特徴とする請求項１乃至３のいずれか一項に記載の制御方法。
【請求項５】
前記被電圧印加部材に電圧を印加してから所定の時間が経過した後、前記電流検知手段による検知を開始することを特徴とする請求項１乃至４のいずれか一項に記載の制御方法。
【請求項６】
像を担持する像担持体と、前記像担持体上の像を静電的に転写材に転写する転写手段と、前記転写手段に電圧を印加する定電圧電源と、前記定電圧電源により前記転写手段に電圧が印加されたとき、前記転写手段に流れる電流を検知する電流検知手段と、前記転写手段に印加された電圧をある電圧幅毎に変化させて、前記電流検知手段により検知された電流値が所定の電流値になるように前記定電圧電源の出力を制御する制御手段と、を有する画像形成装置において、
前記電流検知手段により検知された電流値に応じて、前記電圧幅は可変であることを特徴とする画像形成装置。
【請求項７】
像を担持する像担持体と、前記像担持体上の像を静電的に転写材に転写する転写手段と、前記転写手段に電圧を印加する定電圧電源と、を有し、前記転写手段に流れる電流の値が所定の電流値に近づくように、前記定電圧電源の出力電圧がある電圧幅毎に段階的に変化するように制御する画像形成装置において、
前記転写手段に流れる電流の値と所定の電流値の差の絶対値が所定の値よりも小さい場合の前記電圧幅が、前記転写手段に流れる電流値と所定の電流値の差の絶対値が所定の値以上の場合の前記電圧幅よりも小さくなることを特徴とする画像形成装置。
【請求項８】
前記所定の電流値は転写材の移動方向と直交する方向の長さに基づいて可変とされることを特徴とする請求項６または７に記載の画像形成装置。
【請求項９】
転写材の移動方向と直交する方向の長さを検知する転写材検知手段を備え、前記所定の電流値は前記転写材検知手段の検知結果に基づいて可変とされることを特徴とする請求項８に記載の画像形成装置。
【請求項１０】
前記転写手段に印加される電圧の上限値及び下限値は、転写材の移動方向と直交する方向の長さに応じて可変とされることを特徴とする請求項８又は９に記載の画像形成装置。
【請求項１１】
前記転写手段により前記像担持体上の像が転写材の第１面に転写された後、転写材の前記第１面とは反対側の第２面に前記像担持体上の像を転写可能である場合、前記所定の電流値は、前記転写手段により前記像担持体上の像が転写される面が転写材の前記第１面か前記第２面かに基づいて可変とされることを特徴とする請求項６または７に記載の画像形成装置。
【請求項１２】
前記装置は、前記転写手段により前記像担持体上の像が転写される面が転写材の前記第１面なのか前記第２面なのかどうかを判別する判別手段を備え、前記所定の電流値は前記判別手段の判別結果に基づいて可変とされることを特徴とする請求項１１に記載の画像形成装置。
【請求項１３】
前記転写手段に印加される電圧の上限値及び下限値は、前記像担持体上の像が転写される面が転写材の前記第１面か前記第２面かに基づいて可変とされることを特徴とする請求項１１又は１２に記載の画像形成装置。
【請求項１４】
前記装置は、前記転写手段により前記像担持体上の像が転写材に転写される前に、転写材を挟み込むように接触して電圧が印加される接触部材を備え、前記所定の電流値は前記接触部材に電圧が印加されたとき前記接触部材に流れる電流値に基づいて可変とされることを特徴とする請求項６または７に記載の画像形成装置。
【請求項１５】
前記接触部材は一対のローラを備えることを特徴とする請求項１４に記載の画像形成装置。
【請求項１６】
前記転写手段に印加される電圧の上限値及び下限値は、前記接触部材に流れる電流値に基づいて可変とされることを特徴とする請求項１４又は１５に記載の画像形成装置。
【請求項１７】
前記像担持体は回転可能であり、前記所定の電流値は前記像担持体の回転速度に基づいて可変とされることを特徴とする請求項６または７に記載の画像形成装置。
【請求項１８】
前記像担持体の回転速度は、第１速度と、前記第１速度よりも遅い第２速度とに切換え可能であることを特徴とする請求項１７に記載の画像形成装置。
【請求項１９】
転写材が樹脂シートである場合、前記像担持体の回転速度は前記第２速度に切換えられることを特徴とする請求項１８に記載の画像形成装置。
【請求項２０】
転写材の重量が１０５ｇ／ｍ２以上である場合、前記像担持体の回転速度は前記第２速度に切換えられることを特徴とする請求項１８に記載の画像形成装置。
【請求項２１】
前記転写手段に印加される電圧の上限値及び下限値は、前記像担持体の回転速度に基づいて可変とされることを特徴とする請求項１７乃至２０のいずれか一項に記載の画像形成装置。
【請求項２２】
前記装置は、前記転写手段により転写された転写材上の像を定着する回転可能な定着手段を備え、前記定着手段の回転速度は前記第１速度と前記第２速度とに切換え可能であることを特徴とする請求項１７乃至２１のいずれか一項に記載の画像形成装置。
【請求項２３】
前記装置は、前記像担持体上の単色トナー像を転写材に静電的に転写に転写する単色画像形成モードと、前記像担持体上の複数色のトナー像を転写材に順次重ねて静電的に転写する多色画像形成モードと、に切換え可能であり、前記所定の電流値は前記単色画像形成モードと、前記多色画像形成モードとで異なることを特徴とする請求項６または７に記載の画像形成装置。
【請求項２４】
前記転写手段に印加される電圧の上限値及び下限値は、前記単色画像形成モードなのか前記多色画像形成モードなのかに基づいて可変とされることを特徴とする請求項２３に記載の画像形成装置。
【請求項２５】
前記転写手段は、前記像担持体上の像を転写材に転写する間、転写材に接触することを特徴とする請求項６または７に記載の画像形成装置。
【請求項２６】
前記転写手段は、ローラを備えることを特徴とする請求項２５に記載の画像形成装置。
【請求項２７】
前記所定の電流値と前記電流検知手段により検知された電流値との差に応じて、前記電圧幅は可変であることを特徴とする請求項６乃至２６のいずれか一項に記載の画像形成装置。
【請求項２８】
前記電流検知手段により検知された電流値が前記所定の電流値よりも小さい場合と、大きい場合とでは、前記電圧幅は異なることを特徴とする請求項６乃至２７のいずれか一項に記載の画像形成装置。
【請求項２９】
前記所定の電流値は、所定の幅をもつことを特徴とする請求項６乃至２８のいずれか一項に記載の画像形成装置。
【請求項３０】
前記被電圧印加部材に電圧を印加してから所定の時間が経過した後、前記検知手段による検知を開始することを特徴とする請求項６乃至２９のいずれか一項に記載の画像形成装置。
【手続補正２】
【補正対象書類名】明細書
【補正対象項目名】００２８
【補正方法】変更
【補正の内容】
【００２８】
また、別の実施態様によれば、像を担持する像担持体と、前記像担持体上の像を静電的に転写材に転写する転写手段と、前記転写手段に電圧を印加する定電圧電源と、前記定電圧電源により前記転写手段に電圧が印加されたとき、前記転写手段に流れる電流を検知する電流検知手段と、前記転写手段に印加された電圧をある電圧幅毎に変化させて、前記電流検知手段により検知された電流値が所定の電流値になるように前記定電圧電源の出力を制御する制御手段と、を有する画像形成装置において、前記電流検知手段により検知された電流値に応じて、前記電圧幅は可変であることを特徴とする。更に別の実施態様によれば、像を担持する像担持体と、前記像担持体上の像を静電的に転写材に転写する転写手段と、前記転写手段に電圧を印加する定電圧電源と、を有し、前記転写手段に流れる電流の値が所定の電流値に近づくように、前記定電圧電源の出力電圧がある電圧幅毎に段階的に変化するように制御する画像形成装置において、前記転写手段に流れる電流の値と所定の電流値の差の絶対値が所定の値よりも小さい場合の前記電圧幅が、前記転写手段に流れる電流値と所定の電流値の差の絶対値が所定の値以上の場合の前記電圧幅よりも小さくなることを特徴とする。